(57)【要約】【課題】ペット、児童、老人等の位置を割り出し、探し出し、保護することを支援するシステムを提供する。【解決手段】位置情報検出機能を備えた携帯端末２と、この携帯端末の所持者についての情報が登録されたサーバー３とを備え、サーバー３は、会員データベース３１と、インターネット経由で接続された会員の端末から迷子信号を受信する受信機構３２と、インターネット経由で接続された会員の端末へ前記携帯端末の所持者についての信号を発信する発信機構３２とを有する捜索支援システムを構成する。【選択図】図１
2011060065.tif 000002
【特許請求の範囲】
【請求項１】
位置情報検出機能を備えた携帯端末と、この携帯端末の所持者についての情報が登録されたサーバーとを備え、
前記サーバーは、会員データベースと、インターネット経由で接続された会員の端末から迷子信号を受信する受信機構と、インターネット経由で接続された会員の端末へ前記携帯端末の所持者についての信号を発信する発信機構とを有し、
前記サーバーは、受信機構により会員の端末からの迷子信号を受信した場合には、会員データベースにおけるこの会員のデータを参照することでこの会員に紐づけられた携帯端末を特定し、この携帯端末の位置情報を前記位置情報検出装置により取得し、得られた位置の近くに位置する他の会員の端末に対し発信機構を通じてこの携帯端末の所持者についての情報を発信する、捜索支援システム。
【請求項２】
前記サーバーは、前記他の会員の端末のうちいずれかから発見信号を受信した場合には、この発見信号を発信した会員の端末の位置情報に基づいて位置推定情報を算出し、この位置推定情報を迷子信号を発信した会員の端末に対し発信する、請求項１に記載の捜索支援システム。
【請求項３】
会員の端末を含む、請求項１または２に記載の捜索支援システム。
【発明の詳細な説明】
【技術分野】
【０００１】
本発明は、ペット、児童、老人等が迷子・行方不明になった場合にこの捜索を支援するシステムに関するものである。
【背景技術】
【０００２】
従来、人やペットの現在位置をセンターに通知する位置情報送信装置が利用されている。特に、子供や老人の現在位置を把握するために、ＧＰＳを利用した位置情報送信装置を子供や老人に携帯させて、位置情報、移動状況を管理することが行われている。また、ＧＰＳではなくＰＨＳ等の電波を利用した位置確認手段も利用されている。具体的には、識別情報を発信する発信装置を携帯機器に搭載し、所定の位置に設置された受信装置と発信装置とが無線通信を行うようにする。受信装置が取得した識別情報は、ネットワークを介してコンピュータへ送信され集中管理される。これにより、携帯機器を携帯した人が通過した地点の情報がコンピュータに蓄積される。以下、ＧＰＳ等を利用した位置情報送信装置の従来例をいくつか挙げる。
【０００３】
特許文献１に開示された「位置検出システム」は、痴呆症老人、子供、ペット等の迷子を防止するものである。選択呼出受信機と、送信機と、人工衛星からの電波を受信して地球上の位置を検出するＧＰＳ受信装置とを含む。移動子局は、選択呼出受信機が呼ばれた際、ＧＰＳ受信機によって検出した位置情報を送信機によって送信する。公衆通信回線の端末電話機に接続された表示装置は、移動子局から送信される位置情報を、公衆通信回線を介して受信して、位置情報を表示する。
【０００４】
特許文献２に開示された「位置検出方法およびその装置」は、介護者が要介護老人の現在の心身状況、位置等を遠隔で把握して対応できるようにするものである。ＧＰＳとＰＨＳとを備えた老人用端末に、捜索者から電話をかける。電話をかけられた老人用端末は、ＧＰＳにより位置情報を検出し、ＰＨＳ側に送り、ＰＨＳが、捜索者に老人の位置を送信する。
【０００５】
以上のようなＧＰＳやＰＨＳを利用した位置検出システムによれば、ペット、児童、老人等に端末を携帯させることにより、迷子・行方不明になった場合にもその位置を検出することができる。しかしながら、以上のシステムでは位置の検出には効果があるものの、その後の保護については特に開示されていない。すなわち、位置が判明した場合にはすぐに保護することが望ましいが、保護者がすぐに現場へ行くことができない場合があるし、警備会社などを利用する場合にも、常備する人員にはコスト面などから限界があるため、位置が判明したにもかかわらずすぐに保護することができないという状況が発生していた。
【先行技術文献】
【特許文献】
【０００６】
【特許文献１】特開平6-188819号公報
【特許文献２】特開平9-247730号公報
【発明の概要】
【発明が解決しようとする課題】
【０００７】
本発明は、以上のような課題に鑑みてなされたものであり、ペット、児童、老人等の位置を割り出し、探し出し、保護することを支援するシステムを提供することを目的とする。
【課題を解決するための手段】
【０００８】
本発明の捜索支援システムは、上記目的を達するため、位置情報検出機能を備えた携帯端末と、この携帯端末の所持者についての情報が登録されたサーバーとを備え、
前記サーバーは、会員データベースと、インターネット経由で接続された会員の端末から迷子信号を受信する受信機構と、インターネット経由で接続された会員の端末へ前記携帯端末の所持者についての信号を発信する発信機構とを有し、
前記サーバーは、受信機構により会員の端末からの迷子信号を受信した場合には、会員データベースにおけるこの会員のデータを参照することでこの会員に紐づけられた携帯端末を特定し、この携帯端末の位置情報を前記位置情報検出装置により取得し、得られた位置の近くに位置する他の会員の端末に対し発信機構を通じてこの携帯端末の所持者についての情報を発信する。
【０００９】
また、前記サーバーは、前記他の会員の端末のうちいずれかから発見信号を受信した場合には、この発見信号を発信した会員の端末の位置情報に基づいて位置推定情報を算出し、この位置推定情報を迷子信号を発信した会員の端末に対し発信する。
【００１０】
前記捜索支援システムは、会員の端末を含んでもよい。
【発明の効果】
【００１１】
本発明の捜索支援システムによれば、ペット、児童、老人等に携帯端末を携帯させ、迷子・行方不明になった場合には会員の端末から迷子信号を発信することで、この迷子信号を受信したサーバーがこの会員のデータを参照してこの会員に紐づけられた携帯端末を特定し、この携帯端末の位置情報を位置情報検出機能により取得し、得られた位置の近くに位置する他の会員の端末に対しこの携帯端末の所持者についての情報を発信するから、得られた位置の近くに位置する他の会員はこの携帯端末の所持者についての情報を得ることができ、この携帯端末の所持者を探し出し、保護することができる。
【００１２】
また、サーバーが、前記他の会員の端末のうちいずれかから発見信号を受信した場合に、この発見信号を発信した会員の端末の位置情報に基づいて位置推定情報を算出し、この位置推定情報を迷子信号を発信した会員の端末に対し発信する場合には、位置情報のほかに位置推定情報を得ることができるから、携帯端末の電源が切れてしまったような場合にも携帯端末の所持者を捜索することができる。
【図面の簡単な説明】
【００１３】
【図１】本発明の実施形態の捜索支援システムを示すブロック図である。
【図２】本発明の実施形態の捜索支援システムの利用手順を示すフローチャートである。
【図３】本発明の実施形態の捜索支援システムにおけるサーバーの処理を示すフローチャートである。
【図４】本発明の実施形態の捜索支援システムにおける会員端末に表示される画面を示す図である。
【発明を実施するための形態】
【００１４】
本発明の実施形態の捜索支援システム１は、図１に示すように構成され、位置情報検出装置２１を搭載した携帯端末２と、この携帯端末２の所持者についての情報が登録されたサーバー３とを備えている。また、サーバー３は、携帯端末２にインターネット５経由で接続されると共に、会員データベース３１と、インターネット経由で接続された会員の端末６から迷子信号を受信する受信機構と、インターネット経由で接続された会員の端末６へ携帯端末２の所持者についての信号を発信する発信機構とを有している。サーバー３は一台であってもよいし、複数台であってもよく、機能が分散されて存在していても、複数のサーバー同士がインターネット経由で接続された形態であってもよい。
【００１５】
ここで、位置情報検出装置２１はＧＰＳ受信機やＰＨＳ端末など、現在位置を割り出すことのできる装置であればよい。この場合、図示しないＧＰＳ衛星やＰＨＳ基地局アンテナとの関係により現在位置を割り出す。携帯端末２は、携帯電話、ＰＨＳ、ペンダント型発信装置など、少なくとも検出した位置情報を発信することができるものであればよい。携帯端末２の所持者とは例えばペット、児童、老人等、迷子になる可能性のある者である。携帯端末２には、所持者の名前、保護者の電話番号等が記載されていてもよい。
【００１６】
サーバー３はインターネット５に接続されており、携帯端末２とサーバー３の間には図示省略する携帯キャリアが存在してもよい。また、携帯端末２は一つしか図示しないが、少なくとも会員の数分存在する。携帯端末２の位置情報検出機能としては、携帯端末２が位置情報検出装置２１を備えるほかに、携帯端末２は電波を発信するのみで、この電波を受信した基地局の位置により位置情報を検出するという機構を利用してもよい。
【００１７】
受信機構及び発信機構は通常ネットワークインターフェイスと呼ばれるものであって、他の情報も含めて受信及び発信するものであってよい。また、図１に示すように受信機構及び発信機構が同一の通信機構、すなわち受信機構と発信機構とを兼ねるＬＡＮカード３２であってもよい。サーバー３はほかにＣＰＵや入出力装置等を適宜有するが、ここでは説明及び図示を省略する。会員の端末６はインターネットに接続できるパソコンや携帯電話、ゲーム機器などの通信可能な端末である。特に会員の端末６が携帯電話等の移動端末の場合は、現在位置を割り出す機能を備えていてもよい。会員の端末６は四つしか図示しないが、少なくとも会員の数分存在する。
【００１８】
会員は例えば保護者であり、本発明の実施形態の実施形態の捜索支援システム１によれば、会員端末６に紐づけられる携帯端末２の所有者、すなわち自分のペット、児童、老人等が迷子になった場合には、他の会員に協力を要請できるというメリットを享受する。逆に、他の会員のペット、児童、老人等が迷子になった場合であって自分がその迷子の近くにいる場合には迷子情報をもとに迷子を探すことに協力をすることで、他の会員と相互扶助関係を築くことができる。
【００１９】
事前の準備として、会員は、サーバー３へアクセスし、会員情報を登録する。会員情報とは、会員番号、氏名、住所、電話番号、紐づけられる携帯端末２の固有の情報、会員端末６の固有の情報、携帯端末２を所持するペット、児童、老人等の名前、生年月日、写真、特徴などである。この登録は通常、会員端末６からサーバー３へアクセスして行われるが、他の端末から行われてもよい。すなわち、登録はパソコンで、実際の利用は携帯電話でという態様が可能である。会員情報はサーバー３内の会員データベース３１に格納される。
【００２０】
次に、実施形態の捜索支援システム１において、実際に迷子が発生した場合の手順について、図１から図３を参照して説明する。括弧内のステップ番号は図２のものである。また、図２は会員の操作を含めたフローであり、図３はサーバーの処理を示す。ここでは、会員端末６１を所持する会員のペットが迷子になった場合を例として説明する。ペットは携帯端末２を所持、すなわち例えば首輪に携帯端末２をつけている。
【００２１】
ペットが迷子になった場合、これに気づいた飼い主は、自分の会員端末６１において、図４（ａ）に示すように画面上に表示されたヘルプボタン６１ａをクリックする（ステップｓ１）。このヘルプボタン６１ａは、会員端末６１からサーバー３にアクセスすることで表示されるようなサーバーサイドのプログラムであってもよいし、いわゆる待ち受け画面やデスクトップに常に表示されているなどのクライアントサイドのプログラムであってもよい。
【００２２】
ヘルプボタン６１ａをクリックすると、会員端末６１からサーバー３へインターネット経由で迷子信号が発信される（ステップｓ２）。サーバー３は、データベース３１を参照し、会員端末６１の固有の情報をキーとして、会員端末６１に紐づけられた携帯端末２を特定する（ステップｓ３）。続いて、携帯端末２に対して位置情報を送出するようリクエストする（ステップｓ４）。携帯端末２は位置情報検出装置２１から図示しないＧＰＳ衛星等にアクセスすることで位置情報を割り出し、サーバー３へ送る（ステップｓ５）。この手順において、携帯端末２は常に位置情報をサーバー３へ送り続けていてヘルプボタン６１ａがクリックされた際にその時点の位置情報を同定するのでもよい。
【００２３】
サーバー３は、携帯端末２の位置情報を得ると、この位置情報を会員端末６１に送り、飼い主にペットの大体の居場所を知らせる（ステップｓ６）。次に、他の会員の端末６２，６３，６４等の中から、この位置に近い他の会員の端末を選出する（ステップｓ７）。会員端末の位置は、データベース３１に登録された会員情報のうち住所から割り出してもよいし、会員端末が携帯電話のような携帯端末である場合は、その携帯端末の有する位置情報検出機能を利用して割り出してもよい。携帯端末２と会員端末６との距離を割り出したら、携帯端末２から一定の距離範囲内に位置する会員端末を絞り込むか、携帯端末２から近い順に一定の数の会員端末を絞り込むなどして、携帯端末２の位置に近い他の会員の端末を選出する。ここでは、他の会員の端末６３，６４が選出されたものとする。
【００２４】
続いて、サーバー３は、他の会員の端末６３，６４に対して、インターネット５を通じて携帯端末２の所持者についての情報を発信する。ここで発信される情報は、会員端末６１を所有する会員の氏名、電話番号、携帯端末２を所持するペットの名前、生年月日、写真、特徴、携帯端末２の位置情報などである。他の会員は、端末６３，６４を通じてこのような情報を得ることで、具体的には例えば図４（ｂ）に示すように携帯電話６３の画面にこのような情報が表示されることにより、携帯端末２を所持するペットが迷子になっていること、近くにいること、そのペットの特徴などを知ることができ、このペットを探すことができる。
【００２５】
迷子のペットを発見した会員は、可能であればペットを保護し、会員端末に表示された所有会員、すなわちペットの飼い主の電話番号に電話をし、ペットを引き渡すなどの適切な処置をすることができる。例えば端末６３の所有者がペットを保護することができた場合には、端末６３の所有者は端末６１の所有者に連絡をしてペットを引き渡し、端末６３または端末６１の所有者は、問題が解決したことを表す信号をサーバー３へ送信する（ステップｓ９，１０）。すると、サーバー３から、先に迷子の情報が届けられた他の会員端末６４に対し、問題が解決したことを表す情報が発信され、端末６４の所有者も捜索を終了することができる。
【００２６】
例えば会員端末６３の所有者が迷子のペットを発見したけれどもペットを保護することができなかったという場合には、会員端末６３の所有者は、図４（ｂ）に示すように会員端末６３に表示された通報ボタン６３ａをクリックする（ステップｓ１１）。すると、サーバー３へ発見信号が送信される（ステップｓ１２）。発見信号は、この会員端末６３の位置情報を含む。そのため、サーバー３は、迷子のペットがこの会員端末６３の近くにいると推定することができ、すなわち会員端末６３の位置情報から位置推定情報を算出することができる（ステップｓ１３）。
【００２７】
また、複数の会員端末から発見信号が送信された場合には、これらの位置情報を平均した位置を位置推定情報とすることができるし、複数の発見信号に時間差がある場合には、位置推定情報からペットの移動軌跡を割り出すことができる。このようにして割り出されたペットの位置推定情報や移動軌跡は、飼い主の会員端末６１に送信される（ステップｓ１４）。位置推定情報や移動軌跡は、会員端末からの情報により算出することができるから、ペットの首輪につけた携帯端末２の電池が切れてしまい、携帯端末２の位置情報検出機能による位置の割り出しができなくなってしまったような場合であっても、ペットの位置を知ることができる。さらに、位置情報や位置推定情報の移動軌跡からペットが移動していると推定される場合には、他の会員の端末選出をやり直し、再度、近くにいる他の会員に対して捜索を依頼するための情報を送信してもよい。
【００２８】
以上のようにして、飼い主は、携帯端末２の位置情報検出機能によりペットの位置情報を得ることができると共に、他の会員から提供された発見信号から算出される位置推定情報をも得ることができる。もちろん、位置情報と位置推定情報をもとにさらに正確な位置情報を算出してもよいし、位置情報と位置推定情報とに食い違いがある場合には、首輪がはずれてしまったのではないかといった推測を行うこともできる。
【００２９】
次に、図３のフローチャートについて説明する。まず、サーバーは迷子信号を待機する（ステップｓ１１）。迷子信号があった場合は、データベース３１を参照し、その信号の発信元会員に紐付いた携帯端末を特定する（ステップｓ１２）。続いて、その携帯端末に対し位置情報をリクエストする（ステップｓ１３）。位置情報を待機し（ステップｓ１４）、位置情報が得られた場合は、その位置情報を会員端末へ発信する（ステップｓ１５）。さらに、位置情報に基づいて、その位置に近い他の会員を選出する（ステップｓ１６）。選出された人数が規定の値に達するまでこれを繰り返す（ステップｓ１７）。続いて、選出された端末に対し、携帯端末２の所持者についての情報を発信する（ステップｓ１８）。その後、ペットの保護情報を待機する（ステップｓ１９）。保護が確認されたら、問題が解決したことを表す信号を各会員に発信する（ステップｓ２０）。保護が確認されていない段階で、発見信号を待機する（ステップｓ２１）。発見信号があれば、位置推定情報や移動軌跡を算出し（ステップｓ２２）、さらに、位置推定情報や移動軌跡を会員端末６１へ送る（ステップｓ２３）。移動している場合には再度その位置に近い他の会員を選出する（ステップｓ１６）。
【００３０】
以上のように、本発明の実施形態の捜索支援システム１によれば、飼い主がペットの位置を知ることができるのみならず、他の会員からの情報により位置推定情報をも得ることができるから、ペットの携帯端末２の電池が切れてしまったような場合にもペットを捜索することができる。さらに、他の会員に捜索、保護を協力してもらうことができるから、自分で位置情報を得て捜索する場合に比べて格段に早期にペットを保護することができる。
【００３１】
また、捜索支援システム１はペットの場合を例にしたが、当然ながら児童、老人の迷子対策としても同様のシステムを適用することができる。この場合、児童、老人は自らの意志で携帯端末２を操作することができるので、保護者が携帯端末２としての携帯電話に電話をかけることもできるし、携帯端末２に非常ボタンを設け、この非常ボタンが押された際にはサーバー３へその情報が発信され、上述のフローに従って近くの会員及び保護者に知らせが行くとか、警報が鳴るといった態様での応用も可能である。また、会員端末は、保護者のような一般会員のみならず、警備会社、学校、自治体の拠点等に設置することができる。この場合、一般会員の端末は、自分の児童などが迷子になった場合の発信、他人の児童などが迷子になった場合の受信及び発見信号の発信に用いられ、警備会社、学校、自治体の拠点等に設置された端末は受信及び発見信号の発信のみに用いられるようにしてもよい。
【００３２】
本発明の捜索支援システムは、上記実施形態のものに限られず、少なくとも、位置情報検出機能を備えた携帯端末と、この携帯端末の所持者についての情報が登録されたサーバーとを備え、サーバーが、会員データベースと、インターネット経由で接続された会員の端末から迷子信号を受信する受信機構と、インターネット経由で接続された会員の端末へ前記携帯端末の所持者についての信号を発信する発信機構とを有し、受信機構により会員の端末からの迷子信号を受信した場合には、会員データベースにおけるこの会員のデータを参照することでこの会員に紐づけられた携帯端末を特定し、この携帯端末の位置情報を前記位置情報検出装置により取得し、得られた位置の近くに位置する他の会員の端末に対し発信機構を通じてこの携帯端末の所持者についての情報を発信するものであればよく、様々な応用が可能である。
【符号の説明】
【００３３】
１ 捜索支援システム
２ 携帯端末
３ サーバー
５ インターネット
６，６１，６２，６３，６４ 会員端末
２１ 位置情報検出装置
３１ 会員データベース
３２ ＬＡＮカード
６１ａ ヘルプボタン
６３ａ 通報ボタン
【図１】
2011060065.tif 000003
【図２】
2011060065.tif 000004
【図３】
2011060065.tif 000005
【図４】
2011060065.tif 000006